(57)【要約】【課題】本発明の課題は、ユーザーの快適性を損なうことなく空調運転を開始することができる空調制御装置を提供することにある。【解決手段】  集中制御部４０は、複数の圧縮機１２を、時期をずらして起動させるので、一時期に電力消費が集中することが防止される。さらに、集中制御部４０は、人検知センサ４８による検知結果に基づいて、人が検知されている部屋に属する空調機を優先して運転させるので、その部屋の利用者に不快感を与えることが回避される。【選択図】図８
2018096650.tif 000002
【特許請求の範囲】
【請求項１】
空調対象空間に設置された複数の室内ユニット（２１）、前記各室内ユニット（２１）に対応する複数の圧縮機（１２）、及び前記空調対象空間の人の有無を検知する人検知部（４８）を含む空調システムを制御する空調制御装置であって、
前記圧縮機（１２）の起動制御を行う制御部（４０）を備え、
前記制御部（４０）は、
同じ時期に前記複数の室内ユニット（２１）を運転させる指令があった場合に、前記  人検知部（４８）による検知結果に基づいて、前記各室内ユニット（２１）に対応する  前記圧縮機（１２）の起動時期をずらす、
空調制御装置。
【請求項２】
前記制御部（４０）は、前記空調対象空間のうち人が検知されている空間に属する前記室内ユニット（２１）を優先して運転させる、
請求項１に記載の空調制御装置。
【請求項３】
前記複数の室内ユニットそれぞれに前記人検知部（４８）が設置されており、
前記制御部（４０）は、人を検知した前記室内ユニット（２１）を優先して運転させる、
請求項１に記載の空調制御装置。
【請求項４】
前記複数の室内ユニット（２１）それぞれに通信制御部（５０）がさらに設置されており、
前記制御部（４０）は、前記複数の室内ユニット（２１）に対して、同時期に運転開始指令があった場合における前記各室内ユニット（２１）に対応する前記圧縮機（１２）を起動させる時期を予め設定して、前記通信制御部（５０）へ定期的に送信しておく、
請求項１に記載の空調制御装置。
【発明の詳細な説明】
【技術分野】
【０００１】
本発明は、空調システムを制御する空調制御装置に関する。
【背景技術】
【０００２】
建屋に複数の空調機が据え付けられ、各機が独立して運転される場合、日々の運転開始時に全ての空調機を一斉に起動させると、消費電力が契約電力のピーク電力量を超えてしまったり、或いは、一時的に供給能力を超えることによって停電を引き起こしたりする虞がある。そのような事態を防止するために、特許文献１（特開平１１−１５９８３７号公報）に記載の発明では、複数の空調機を各々異なる時期に起動させて電源ラインに過大電流が流れないようにしている。
【発明の概要】
【発明が解決しようとする課題】
【０００３】
一方、複数の空調機の起動時期をずらせば一斉起動を回避することは可能であるが、起動を遅らせたことによって、ユーザーの快適性を損なう虞もある。
【０００４】
本発明の課題は、ユーザーの快適性を損なうことなく空調運転を開始することができる空調制御装置を提供することにある。
【課題を解決するための手段】
【０００５】
本発明の第１観点に係る空調制御装置は、空調対象空間に設置された複数の室内ユニット、各室内ユニットに対応する複数の圧縮機、及び空調対象空間の人の有無を検知する人検知部を含む空調システムを制御する空調制御装置であって、圧縮機の起動制御を行う制御部を備えている。制御部は、同じ時期に複数の室内ユニットを運転させる指令があった場合に、人検知部による検知結果に基づいて、各室内ユニットに対応する圧縮機の起動時期をずらす。
【０００６】
この空調制御装置では、複数の圧縮機を、時期をずらして起動させるので、一時期に電力消費が集中することが防止される。さらに、人検知部による検知結果に基づいて、人がいる空間の室内ユニットを優先的に運転させることができるので、その空間の利用者に不快感を与えることも回避される。
【０００７】
本発明の第２観点に係る空調制御装置は、第１観点に係る空調制御装置であって、制御部が、空調対象空間のうち人が検知されている空間に属する室内ユニットを優先して運転させる。
【０００８】
この空調制御装置では、人検知部による検知結果に基づいて、人がいる空間の室内ユニットを優先的に運転させることができるので、その空間の利用者に不快感を与えることが回避される。
【０００９】
本発明の第３観点に係る空調制御装置は、第１観点に係る空調制御装置であって、複数の室内ユニットそれぞれに人検知部が設置されている。制御部は、人を検知した室内ユニットを優先して運転させる。
【００１０】
この空調制御装置では、人がいる部屋に複数の室内ユニットが据え付けられている場合、その人から遠い位置にある室内ユニットが運転を開始するよりも、その人を検知することができる位置にある室内ユニットが運転を開始する方が、その人の周囲空間を素早く快適にすることができる。
【００１１】
本発明の第４観点に係る空調制御装置は、第１観点に係る空調制御装置であって、複数の室内ユニットそれぞれに通信制御部がさらに設置されている。制御部は、複数の室内ユニットに対して、同時期に運転開始指令があった場合における各室内ユニットに対応する圧縮機を起動させる時期を予め設定して、通信制御部へ定期的に送信しておく。
【００１２】
この空調制御装置では、何らかのトラブルで空調システムが停止し、各室内ユニットに対して同時期に運転開始指令があった場合でも、各室内ユニットは事前に起動の時期が伝えられているので、全ての圧縮機が一斉に起動するような事態が防止される。その結果、一時期に電力消費が集中することが防止される。
【発明の効果】
【００１３】
本発明の第１観点に係る空調制御装置では、複数の圧縮機を、時期をずらして起動させるので、一時期に電力消費が集中することが防止される。さらに、人検知部による検知結果に基づいて、人がいる空間の室内ユニットを優先的に運転させることができるので、その空間の利用者に不快感を与えることも回避される。
【００１４】
本発明の第２観点に係る空調制御装置では、人検知部による検知結果に基づいて、人がいる空間の室内ユニットを優先的に運転させることができるので、その空間の利用者に不快感を与えることが回避される。
【００１５】
本発明の第３観点に係る空調制御装置では、人がいる部屋に複数の室内ユニットが据え付けられている場合、その人から遠い位置にある室内ユニットが運転を開始するよりも、その人を検知することができる位置にある室内ユニットが運転を開始する方が、その人の周囲空間を素早く快適にすることができる。
【００１６】
本発明の第４観点に係る空調制御装置では、何らかのトラブルで空調システムが停止し、各室内ユニットに対して同時期に運転開始指令があった場合でも、各室内ユニットは事前に起動の時期が伝えられているので、全ての圧縮機が一斉に起動するような事態が防止される。その結果、一時期に電力消費が集中することが防止される。
【図面の簡単な説明】
【００１７】
【図１Ａ】空調システムを構成する複数の空調機が据え付けられている建屋の平面図。
【図１Ｂ】図１Ａに記載の建屋のＸ−Ｘ線における断面図。
【図２】空調システムの制御系の構成を示すブロック図。
【図３】空調機の構成図。
【図４】空調機の制御部を示すブロック図。
【図５】集中制御部の動作フローチャート。
【図６】第１状況における集中制御部の動作フローチャート。
【図７】第２状況における集中制御部の動作フローチャート。
【図８】第３状況における集中制御部の動作フローチャート（ステップＳ３１〜ステップＳ３９，ステップＳ４０）。
【図９】第３状況における集中制御部の動作フローチャート（ステップＳ４１〜ステップＳ４７）。
【図１０】第３状況における集中制御部の動作フローチャート（ステップＳ５１〜ステップＳ５９）。
【発明を実施するための形態】
【００１８】
以下、図面を参照しながら、本発明の実施形態について説明する。なお、以下の実施形態は、本発明の具体例であって、本発明の技術的範囲を限定するものではない。
【００１９】
（１）空調システムの概要
図１Ａは、空調システムを構成する複数の空調機１０Ａ〜１０Ｕが据え付けられている建屋の平面図である。また、図１Ｂは、図１Ａに記載の建屋のＸ−Ｘ線における断面図である。
【００２０】
図１Ａ及び図１Ｂにおいて、複数の空調機１０Ａ〜１０Ｕそれぞれは、天井に設置される利用側ユニットである室内ユニットと、天井裏に配置される熱源側ユニットとが一体化された空調機である。このような一体型の具体的構造については、例えば、公開特許公報の特開平９−３２４９２８に開示されているので、ここでは具体的構造の説明は省略する。
【００２１】
複数の室内ユニット２１Ａ〜２１Ｕは、建屋の天井に設置され、各室内ユニットに対応する熱源側ユニット１１Ａ〜１１Ｕは天井裏空間ＣＳに配置されている。
【００２２】
なお、室内ユニット２１Ａ〜２１Ｕをまとめて指す場合は「室内ユニット２１」と表現し、熱源側ユニット１１Ａ〜１１Ｕをまとめて指す場合は「熱源側ユニット１１」と表現する。
【００２３】
この空調システムでは、空調対象空間である部屋ごとに配置される室内ユニット２１が決められており、例えば、第１部屋Ｒ１には空調機１０Ａ〜１０Ｃの室内ユニット２１Ａ〜２１Ｃが配置されている。
【００２４】
同様に、第２部屋Ｒ２には空調機１０Ｅ〜１０Ｈの室内ユニット２１Ｅ〜２１Ｈ、第３部屋Ｒ３には空調機１０Ｉ及び１０Ｊの室内ユニット２１Ｉ及び２１Ｊが、第４部屋Ｒ４には空調機１０Ｎの室内ユニット２１Ｎ、第５部屋Ｒ５には空調機１０Ｏの室内ユニット２１Ｏが、第６部屋Ｒ６には空調機１０Ｐ〜１０Ｕの室内ユニット２１Ｐ〜２１Ｕが、配置されている。
【００２５】
また、フロアＦＬには、空調機１０Ｄ、１０Ｋ、１０Ｌ及び１０Ｍの室内ユニット２１Ｄ、２１Ｋ、２１Ｌ及び２１Ｍが配置されている。
【００２６】
図２は、空調システムの制御系の構成を示すブロック図である。図２において、空調システムでは、集中制御部４０が通信ネットワーク６を介して、複数の空調機１０Ａ〜１０Ｕそれぞれに搭載された通信制御部５０（図４参照）との間で通信を行うことができる。
【００２７】
通信ネットワーク６は、インターネット、イントラネット、ＬＡＮ（Ｌｏｃａｌ・Ａｒｅａ・Ｎｅｔｗｏｒｋ）、ＶＰＮ（Ｖｉｒｔｕａｌ・Ｐｒｉｖａｔｅ・Ｎｅｔｗｏｒｋ）等の情報通信技術を利用した通信回線により構成されている。
【００２８】
集中制御部４０は、遠隔制御により空調機１０Ａ〜１０Ｕに各種の運転を行わせることができる。
【００２９】
以下、集中制御部４０及び空調機１０Ａ〜１０Ｕについて詳細を説明する。なお、空調機１０Ａ〜１０Ｕをまとめて指す場合は、「空調機１０」と表現する。
【００３０】
（２）空調機１０の構成
図３は、空調機１０の構成図である。図３において、空調機１０は、冷房運転および暖房運転が可能な冷凍装置であり、熱源側ユニット１１と、室内ユニット２１と、熱源側ユニット１１と室内ユニット２１とを接続するための液冷媒連絡配管２、及びガス冷媒連絡配管３とを備えている。空調機１０の冷媒回路Ｃには、例えば、単一冷媒であるＲ３２が封入されている。
【００３１】
（２−１）熱源側ユニット１１の構成
図３において、熱源側ユニット１１は、主に、圧縮機１２、四方切換弁１５、熱源側熱交換器１３、及び膨張弁１４を有している。さらに、熱源側ユニット１１は熱源側ファン１６も有している。
【００３２】
（２−１−１）圧縮機１２
圧縮機１２は、低圧の冷媒を圧縮し、圧縮後の高圧の冷媒を吐出する。圧縮機１２では、スクロール式、ロータリ式等の圧縮機構が圧縮機モータ１２ａによって駆動される。圧縮機モータ１２ａの運転周波数は、インバータ装置によって変更される。
【００３３】
（２−１−２）熱源側熱交換器１３
熱源側熱交換器１３は、フィン・アンド・チューブ式の熱交換器である。熱源側熱交換器１３の近傍には、熱源側ファン１６が設置される。熱源側熱交換器１３では、熱源側ファン１６が搬送する空気と冷媒とが熱交換する。
【００３４】
（２−１−３）膨張弁１４
膨張弁１４は、開度可変の電子膨張弁である。膨張弁１４は、冷房運転時の冷媒回路Ｃにおける冷媒の流れ方向において熱源側熱交換器１３の下流側に配置されている。
【００３５】
冷房運転時、膨張弁１４の開度は、室内熱交換器３２に流入する冷媒を室内熱交換器３２において蒸発させることが可能な圧力（すなわち、蒸発圧力）まで減圧するように調節される。また、暖房運転時は、膨張弁１４の開度は、熱源側熱交換器１３に流入する冷媒を熱源側熱交換器１３において蒸発させることが可能な圧力まで減圧するように調節される。
【００３６】
（２−１−４）四方切換弁１５
四方切換弁１５は、第１から第４までのポートＰ１〜Ｐ４を有している。四方切換弁１５では、第１ポートＰ１が圧縮機１２の吐出側に接続され、第２ポートＰ２が圧縮機１２の吸入側に接続され、第３ポートＰ３が熱源側熱交換器１３のガス側端部に接続され、第４ポートＰ４がガス側閉鎖弁５に接続されている。
【００３７】
四方切換弁１５は、第１状態（図１の実線で示す状態）と第２状態（図１の破線で示す状態）とに切り換わる。第１状態の四方切換弁１５では、第１ポートＰ１と第３ポートＰ３とが連通し且つ第２ポートＰ２と第４ポートＰ４とが連通する。第２状態の四方切換弁１５では、第１ポートＰ１と第４ポートＰ４とが連通し且つ第２ポートＰ２と第３ポートＰ３とが連通する。
【００３８】
（２−１−５）熱源側ファン１６
熱源側ファン１６は、プロペラファン１６ａと、プロペラファン１６ａを駆動するモータ１６ｂとで構成されている。モータ１６ｂは、インバータ装置によって、その回転数が可変である。
【００３９】
（２−１−６）熱源側制御部４１ａ
図３に示すように、熱源側ユニット１１には熱源側制御部４１ａが搭載されている。また、図４は、空調機１０の制御部４１を示すブロック図である。図４において、熱源側制御部４１ａは、マイコン４１ａａ、メモリ４１ａｂを内蔵している。マイコン４１ａａは、各種の演算を行い、制御対象機器への指令を行う。メモリ４１ａｂは、各種データを格納する。
【００４０】
（２−１−７）天井裏温度センサ３６
天井裏温度センサ３６は、熱源側ユニット１１の空気の吸入口側で、熱源側ユニット１１内に流入する空気の温度を検出する。本実施形態において、天井裏温度センサ３６は、サーミスタからなる。
【００４１】
（２−２）室内ユニット２１の構成
室内ユニット２１は、室内熱交換器３２と、室内ファン２７とを有している。また、室内ユニット２１には、リモートコントロールユニット（以下、「リモコン４２」という。）が付帯されている。ユーザーは、リモコン４２を介して、空調機１０の各種運転モード等を設定することができる。
【００４２】
（２−２−１）室内熱交換器３２
室内熱交換器３２は、フィン・アンド・チューブ式の熱交換器である。室内熱交換器３２の近傍には、室内ファン２７が設置される。
【００４３】
室内熱交換器３２は、冷房運転時には冷媒の蒸発器として機能して室内空気を冷却し、暖房運転時には冷媒の凝縮器として機能して室内空気を加熱する。
【００４４】
（２−２−２）室内ファン２７
室内ファン２７は、クロスフローファンである。室内ファン２７は、ファン２７ａと、ファン２７ａを回転させるための室内ファンモータユニット２７ｂとを有している。
【００４５】
室内ファン２７の稼動によって、室内ユニット２１は内部に室内空気を吸入し、室内熱交換器３２において冷媒と熱交換させた後に、供給空気として室内に供給する。また、室内ファン２７は、室内熱交換器３２に供給する空気の風量を所定風量範囲において変更することができる。
【００４６】
（２−２−３）室内側制御部４１ｂ
図１に示すように、室内ユニット２１には、室内側制御部４１ｂが搭載されている。また、図４に示すように、室内側制御部４１ｂは、マイコン４１ｂａ及びメモリ４１ｂｂを内蔵している。
【００４７】
マイコン４１ｂａは、各種の演算を行う。また、メモリ４１ｂｂは、各種データを格納する。
【００４８】
また、室内側制御部４１ｂは、室内ユニット２１を個別に操作するためのリモコン４２との間で制御信号等の通信を行い、さらに、熱源側ユニット１１との間で伝送線を介して制御信号等の通信を行う。
【００４９】
（２−２−４）各種センサ
室内ユニット２１には、室内熱交温度センサ４４と室内温度センサ４６とが設けられている。室内熱交温度センサ４４は、室内熱交換器３２の中間位置に設置され、冷媒の飽和温度を検出する。
【００５０】
室内温度センサ４６は、室内ユニット２１の室内空気の吸入口側に設けられている。室内温度センサ４６は、室内ユニット２１内に流入する室内空気の温度を検出する。
【００５１】
本実施形態において、室内熱交温度センサ４４、及び室内温度センサ４６は、サーミスタからなる。
【００５２】
また、室内ユニット２１には、人検知センサ４８が搭載されている。なお、人検知センサの動作原理については、既に多くの技術文献が刊行されており、例えば、特許第５３１０７９２号公報に詳しく記載されているので、ここでは説明を省略する。
【００５３】
（２−３）集中制御部４０
集中制御部４０は、圧縮機１２の運転周波数、四方切換弁１５の切換動作、膨張弁１４の開度、および熱源側ファン１６、室内ファン２７の回転を遠隔制御することができる。そのため、集中制御部４０は、外部との通信制御も行うことができる。
【００５４】
図２において、集中制御部４０は、通信ネットワーク６を介して各空調機１０Ａ〜１０Ｕを制御する。各空調機１０Ａ〜１０Ｕの各室内ユニット２１には、集中制御部４０との間で信号の送受信が行えるように通信制御部５０（図４参照）が搭載されている。
【００５５】
また、集中制御部４０は、記憶部４０１と、判定部４０３と、通信部４０５と、指令部４０７とを有している。
【００５６】
（２−３−１）記憶部４０１
記憶部４０１は、集中制御部４０の各部間のデータ、及び集中制御部４０と各空調機１０Ａ〜１０Ｕとの間で通信された運転情報を記憶する。
【００５７】
（２−３−２）判定部４０３
判定部４０３は、上記運転情報に基づいて各空調機１０Ａ〜１０Ｕの運転状態が予め設定される運転条件を充足しているか否かを判断する。
【００５８】
（２−３−３）通信部４０５
通信部４０５は、通信ネットワーク６に対するインタフェースであり、指令部４０７の命令に従って通信ネットワーク６に信号を送信し、或いは通信ネットワーク６から信号を受信し、その旨を表す信号を指令部４０７に送る。
【００５９】
（２−３−４）指令部４０７
指令部４０７は、通信部４０５を制御して各空調機１０Ａ〜１０Ｕから送信された運転情報を受信し、且つその運転情報に基づき集中制御部４０の各部の動作を制御する。
【００６０】
（３）空調機１０の動作
空調機１０では、四方切換弁１５によって、冷媒の循環サイクルを冷房運転時の循環サイクルおよび暖房運転時の循環サイクルのいずれか一方に切り換えることが可能である。
【００６１】
（３−１）冷房運転
冷房運転では、図３に示す四方切換弁１５が実線で示す状態となり、圧縮機１２、室内ファン２７、熱源側ファン１６が運転状態となる。これにより、冷媒回路Ｃでは、熱源側熱交換器１３が凝縮器となり、室内熱交換器３２が蒸発器となる冷凍サイクルが行われる。
【００６２】
具体的には、圧縮機１２で圧縮された高圧冷媒は、熱源側熱交換器１３を流れ、空気と熱交換する。熱源側熱交換器１３では、高圧冷媒が空気へ放熱して凝縮する。熱源側熱交換器１３で凝縮した冷媒は、室内熱交換器３２へ送られる途中において、膨張弁１４で減圧され、その後、室内熱交換器３２を流れる。
【００６３】
室内ユニット２１では、室内ファン２７によって吸い込まれた室内空気が、室内熱交換器３２を通過し、その際に冷媒と熱交換する。室内熱交換器３２では、冷媒が室内空気から吸熱して蒸発し、その際に空気が冷却される。室内熱交換器３２で冷却された空気は、室内空間へ供給される。また、室内熱交換器３２で蒸発した冷媒は、圧縮機１２に吸入され再び圧縮される。
【００６４】
（３−２）暖房運転
暖房運転では、図１に示す四方切換弁１５が破線で示す状態となり、圧縮機１２、室内ファン２７、熱源側ファン１６が運転状態となる。これにより、冷媒回路Ｃでは、室内熱交換器３２が凝縮器となり、熱源側熱交換器１３が蒸発器となる冷凍サイクルが行われる。
【００６５】
具体的には、圧縮機１２で圧縮された高圧冷媒は、室内熱交換器３２を流れる。室内ユニット２０では、室内ファン２７よって吸い込まれた室内空気が、室内熱交換器３２を通過し、その際に冷媒と熱交換する。室内熱交換器３２では、冷媒が室内空気へ放熱して凝縮し、その際に空気が加熱される。室内熱交換器３２で加熱された空気は、室内空間へ供給される。また、室内熱交換器３２で凝縮した冷媒は、膨張弁１４で減圧された後、熱源側熱交換器１３を流れる。熱源側熱交換器１３では、冷媒が空気から吸熱して蒸発する。熱源側熱交換器１３で蒸発した冷媒は、圧縮機１２に吸入され再び圧縮される。
【００６６】
（４）空調機１０の起動制御
この空調システムでは、集中制御部４０が、複数の空調機１０Ａ〜１０Ｕそれぞれの制御部４１を介して、複数の空調機１０Ａ〜１０Ｕの各種運転を遠隔制御している。本発明に係る空調制御装置は、集中制御部４０、及び複数の空調機１０Ａ〜１０Ｕそれぞれの制御部４１で構成されている。
【００６７】
日々の空調運転開始時に全ての空調機１０Ａ〜１０Ｕを一斉に起動させると、消費電力が契約電力のピーク電力量を超えてしまったり、或いは、一時的に供給能力を超えることによって停電を引き起こしたりする虞がある。
【００６８】
そこで、本実施形態に係る空調システムでは、全ての空調機１０Ａ〜１０Ｕに対し、同じ時期に運転を開始させる指令があった場合に、人検知センサ４８による検知結果に基づいて、圧縮機１２の起動時期をずらす制御が行われる。
【００６９】
具体的には、集中制御部４０が、人検知センサ４８の検知信号から各部屋Ｒ１〜Ｒ６（図１Ａ及び図１Ｂ参照）について人が居るか否かを判定し、人が居ると判定された部屋に属する空調機を優先して運転を開始させる。
【００７０】
その際、３つの状況を想定する必要がある。先ず、第１状況は、全ての部屋及びフロアに人がいる場合である。第２状況は、全ての部屋及びフロアに人がいない場合である。そして、第３状況は、人が居る部屋又はフロアと人がいない部屋又はフロアとが混在する場合である。
【００７１】
集中制御部４０は、第１状況、第２状況および第３状況のいずれに該当するのかを判断し、状況に応じて適時、各空調機１０Ａ〜１０Ｕの運転を開始する。
【００７２】
（４−１）集中制御部４０の動作
図５は、集中制御部４０の動作フローチャートである。以下、図５を参照しながら、その動作を説明する。
【００７３】
（ステップＳ１）
先ず、集中制御部４０は、ステップＳ１において、圧縮機１２の起動指令の有無を判定し、起動指令が有る場合はステップＳ２へ進み、起動指令が無い場合は、起動指令の有無の判定を継続する。
【００７４】
（ステップＳ２）
次に、集中制御部４０は、ステップＳ２において、起動指令が一斉起動に該当するか否かを判定する。ここで、一斉起動とは、全空調機１０Ａ〜１０Ｕの圧縮機１２を起動すること、又は所定数以上の部屋の空調機の圧縮機１２を起動することである。
【００７５】
集中制御部４０は、一斉起動に該当すると判定したときはステップＳ３に進み、一斉起動に該当しないと判定したときはステップＳ５に進む。
【００７６】
（ステップＳ３）
次に、集中制御部４０は、ステップＳ３において、各部屋の人の在室状況から第１状況、第２状況および第３状況のいずれであるかを確認する。
【００７７】
（ステップＳ４）
次に、集中制御部４０は、ステップＳ４において、各部屋の人の在室状況が第１状況のときはステップＳ１１へ進み、第２状況のときはステップＳ２１へ進み、第３状況のときはステップＳ３１へ進む。
【００７８】
（ステップＳ５）
一方、集中制御部４０は、先のステップＳ２において、一斉起動に該当しないと判定した場合にはステップＳ５に進み、通常の起動制御を行う。
【００７９】
つまり、例えば、第１部屋Ｒ１の空調機１０Ａ、１０Ｂ及び１０Ｃだけを起動するような場合には、３台同時に起動させても、消費電力が契約電力のピーク電力量を超えてしまったり、或いは、一時的に供給能力を超えることによって停電を引き起こしたりする虞はないので、通常の起動制御を行う。
【００８０】
（ステップＳ６）
集中制御部４０は、ステップＳ６において、起動対象の空調機の圧縮機１２が起動を完了したか否かを判定し、起動が完了していれば起動制御を終了する。
【００８１】
（４−２）第１状況における集中制御部４０の動作
第１状況は、全ての部屋Ｒ１〜Ｒ６及びフロアＦＬに人が居る状況であるので、空調機の運転開始を後回しにできる状況ではない。それゆえ、集中制御部４０は、そのような状況に備えて、部屋ごとに最初に圧縮機１２を起動させる空調機を予め設定し、記憶部４０１に記憶している。
【００８２】
図１Ａの各空調機を示す枠で囲まれたアルファベットに隣接して記載されている丸括弧内の番号は、各部屋における空調機の優先順位を示している。
【００８３】
具体的には、第１部屋Ｒ１では空調機１０Ａ、第２部屋Ｒ２では空調機１０Ｅ、第３部屋Ｒ３では空調機１０Ｉ、第４部屋Ｒ４では空調機１０Ｎ、第５部屋Ｒ５では空調機１０Ｏ、第６部屋Ｒ６では空調機１０Ｐが、最初に圧縮機１２を起動させる空調機として設定されている。
【００８４】
図６は、第１状況における集中制御部４０の動作フローチャートである。以下、図６を参照しながら、その動作を説明する。
【００８５】
（ステップＳ１１）
集中制御部４０は、ステップＳ１１において、第１状況下で運転を開始させる空調機の順序を設定するため、圧縮機１２を最初に起動させる第１優先空調機群、次に起動させる第２優先空調機群、その次に起動させる第３優先空調機群、さらにその次に起動させる第４優先空調機群を特定する。
【００８６】
本実施形態では、圧縮機１２を最初に起動させる第１優先空調機群として、第１部屋Ｒ１の空調機１０Ａ、フロアＦＬの空調機１０Ｄ、第２部屋Ｒ２の空調機１０Ｅ、第３部屋Ｒ３の空調機１０Ｉ、第４部屋Ｒ４の空調機１０Ｎ、第５部屋Ｒ５の空調機１０Ｏ、及び第６部屋Ｒ６の空調機１０Ｐが、予め記憶部４０１に記憶されている。
【００８７】
同様に、第１優先空調機群の次に、圧縮機１２を起動させる第２優先空調機群として、第１部屋Ｒ１の空調機１０Ｂ、フロアＦＬの空調機１０Ｋ、第２部屋Ｒ２の空調機１０Ｆ、第３部屋Ｒ３の空調機１０Ｊ、及び第６部屋Ｒ６の空調機１０Ｑが、記憶部４０１に記憶されている。
【００８８】
さらに、第２優先空調機群の次に、圧縮機１２を起動させる第３優先空調機群として、第１部屋Ｒ１の空調機１０Ｃ、フロアＦＬの空調機１０Ｌ、第２部屋Ｒ２の空調機１０Ｇ、及び第６部屋Ｒ６の空調機１０Ｒが、記憶部４０１に記憶されている。
【００８９】
そして、最後に圧縮機１２を起動させる第４空調機群として、第２部屋Ｒ２の空調機１０Ｈ、フロアＦＬの空調機１０Ｍ、第６部屋Ｒ６の空調機１０Ｓ、１０Ｔ、及び１０Ｕが、記憶部４０１に記憶されている。
【００９０】
（ステップＳ１２）
集中制御部４０は、ステップＳ１２において、第１優先空調機群に属する全ての空調機１０Ａ、１０Ｄ、１０Ｅ、１０Ｉ、１０Ｎ、１０Ｏ、及び１０Ｐの圧縮機１２を起動させる。
【００９１】
（ステップＳ１３）
集中制御部４０は、ステップＳ１３において、第１優先空調機群に属する全ての空調機１０Ａ、１０Ｄ、１０Ｅ、１０Ｉ、１０Ｎ、１０Ｏ、及び１０Ｐの圧縮機１２が起動を完了したか否かを判定し、起動が完了していればステップＳ１４に進む。
【００９２】
（ステップＳ１４）
集中制御部４０は、ステップＳ１４において、第２優先空調機群に属する全ての空調機１０Ｂ、１０Ｋ、１０Ｆ、１０Ｊ、及び１０Ｑの圧縮機１２を起動させる。
【００９３】
（ステップＳ１５）
集中制御部４０は、ステップＳ１５において、第２優先空調機群に属する全ての空調機１０Ｂ、１０Ｋ、１０Ｆ、１０Ｊ、及び１０Ｑの圧縮機１２が起動を完了したか否かを判定し、起動が完了していればステップＳ１６に進む。
【００９４】
（ステップＳ１６）
集中制御部４０は、ステップＳ１６において、第３優先空調機群に属する全ての空調機１０Ｃ、１０Ｌ、１０Ｇ、及び１０Ｒの圧縮機１２を起動させる。
【００９５】
（ステップＳ１７）
集中制御部４０は、ステップＳ１７において、第３優先空調機群に属する全ての空調機１０Ｃ、１０Ｌ、１０Ｇ、及び１０Ｒの圧縮機１２が起動を完了したか否かを判定し、起動が完了していればステップＳ１８に進む。
【００９６】
（ステップＳ１８）
集中制御部４０は、ステップＳ１０において、第４優先空調機群に属する全ての空調機１０Ｈ、１０Ｍ、１０Ｓ、１０Ｔ、及び１０Ｕの圧縮機１２を起動させる。
【００９７】
（ステップＳ１９）
集中制御部４０は、ステップＳ１９において、第４優先空調機群に属する全ての空調機１０Ｈ、１０Ｍ、１０Ｓ、１０Ｔ、及び１０Ｕの圧縮機１２が起動を完了したか否かを判定し、起動が完了していれば起動制御を終了する。
【００９８】
（作用と効果）
上記のように、集中制御部４０が、複数の空調機１０Ａ〜１０Ｕを部屋単位及びフロア単位でグループ分けし、グループごとに圧縮機１２を起動させる空調機の優先順位を設定し、記憶部４０１に記憶している。
【００９９】
そして、ステップＳ４〜ステップＳ１１では、複数の空調機１０Ａ〜１０Ｕを、各グループの優先順位第１位の空調機群それぞれの圧縮機１２が起動したのちは、順位第２位の空調機群それぞれの圧縮機１２を起動するように、時期をずらして起動させるので、一時期に電力消費が集中することが防止される。
【０１００】
さらに、部屋ごとに少なくとも１台の空調機の圧縮機１２が起動し運転を開始するので、例えば、常に人が利用する空間を当該空間に設定すれば、空調開始時期が遅れることがなく、その空間の利用者に不快感を与えることも回避される。
【０１０１】
（４−３）第２状況における集中制御部４０の動作
第２状況は、全ての部屋Ｒ１〜Ｒ６及びフロアＦＬに人が居ない状況であるので、空調機の運転開始を後回しにできる部屋がある。それゆえ、集中制御部４０は、フロア及び複数の部屋それぞれに対して予め優先順位を設定し、その優先順位に沿って該当するその部屋に属する空調機の圧縮機１２を起動させることができる。
【０１０２】
図７は、第２状況における集中制御部４０の動作フローチャートである。以下、図７を参照しながら、その動作を説明する。
【０１０３】
（ステップＳ２１）
集中制御部４０は、ステップＳ２１において、第２状況下で運転を開始させる空調機の順序を設定するため、圧縮機１２を最初に起動させる第１優先空間空調機群、次に起動させる第２優先空間空調機群、その次に起動させる第３優先空間空調機群、さらにその次に起動させる第４優先空間空調機群を特定する。
【０１０４】
図１Ａの各部屋及びフロアのコーナーに記載されている角括弧内の番号は、優先順位を示している。
【０１０５】
本実施形態では、圧縮機１２を最初に起動させる第１優先空間空調機群として、第３部屋Ｒ３、第４部屋Ｒ４及び第５部屋Ｒ５に属する空調機１０Ｉ、１０Ｊ、１０Ｎ及び１０Ｏが、予め記憶部４０１に記憶されている。
【０１０６】
同様に、第１優先空間空調機群の次に、圧縮機１２を起動させる第２優先空間空調機群として、第２部屋Ｒ２に属する空調機１０Ｅ、１０Ｆ、１０Ｇ及び１０Ｈが、記憶部４０１に記憶されている。
【０１０７】
さらに、第２優先空間空調機群の次に、圧縮機１２を起動させる第３優先空間空調機群として、第１部屋Ｒ１及びフロアＦＬに属する空調機１０Ａ、１０Ｂ、１０Ｃ、１０Ｄ、１０Ｋ、１０Ｌ及び１０Ｍが、記憶部４０１に記憶されている。
【０１０８】
そして、最後に圧縮機１２を起動させる第４優先空間空調機群として、第６部屋Ｒ６の空調機１０Ｐ、１０Ｑ、１０Ｒ、１０Ｓ、１０Ｔ及び１０Ｕが、記憶部４０１に記憶されている。
【０１０９】
（ステップＳ２２）
集中制御部４０は、ステップＳ２２において、第１優先空間空調機群に属する全ての空調機１０Ｉ、１０Ｊ、１０Ｎ及び１０Ｏの圧縮機１２を起動させる。
【０１１０】
（ステップＳ２３）
集中制御部４０は、ステップＳ２３において、第１優先空間空調機群に属する全ての空調機１０Ｉ、１０Ｊ、１０Ｎ及び１０Ｏの圧縮機１２が起動を完了したか否かを判定し、起動が完了していればステップＳ２４に進む。
【０１１１】
（ステップＳ２４）
集中制御部４０は、ステップＳ２４において、第２優先空間空調機群に属する全ての空調機１０Ｅ、１０Ｆ、１０Ｇ及び１０Ｈの圧縮機１２を起動させる。
【０１１２】
（ステップＳ２５）
集中制御部４０は、ステップＳ２５において、第２優先空間空調機群に属する全ての空調機１０Ｅ、１０Ｆ、１０Ｇ及び１０Ｈの圧縮機１２が起動を完了したか否かを判定し、起動が完了していればステップＳ２６に進む。
【０１１３】
（ステップＳ２６）
集中制御部４０は、ステップＳ２６において、第３優先空間空調機群に属する全ての空調機１０Ａ、１０Ｂ、１０Ｃ、１０Ｄ、１０Ｋ、１０Ｌ及び１０Ｍの圧縮機１２を起動させる。
【０１１４】
（ステップＳ２７）
集中制御部４０は、ステップＳ２７において、第３優先空間空調機群に属する全ての空調機１０Ａ、１０Ｂ、１０Ｃ、１０Ｄ、１０Ｋ、１０Ｌ及び１０Ｍの圧縮機１２が起動を完了したか否かを判定し、起動が完了していればステップＳ２８に進む。
【０１１５】
（ステップＳ２８）
集中制御部４０は、ステップＳ２８において、第４優先空間空調機群に属する全ての空調機１０Ｐ、１０Ｑ、１０Ｒ、１０Ｓ、１０Ｔ及び１０Ｕの圧縮機１２を起動させる。
【０１１６】
（ステップＳ２９）
集中制御部４０は、ステップＳ２９において、第４優先空間空調機群に属する全ての空調機１０Ｐ、１０Ｑ、１０Ｒ、１０Ｓ、１０Ｔ及び１０Ｕの圧縮機１２が起動を完了したか否かを判定し、起動が完了していれば起動制御を終了する。
【０１１７】
（作用と効果）
上記のように、集中制御部４０が、複数の空調機１０Ａ〜１０Ｕを部屋単位及びフロア単位でグループ分けし、各グループに優先順位を設定してそれを記憶部４０１に記憶しているので、「優先順位の高いグループに属する空調機の圧縮機１２を起動させる」という方法で、ステップＳ２１における空調機の特定をすることができる。
【０１１８】
そして、ステップＳ２２〜ステップＳ２９では、複数の空調機１０Ａ〜１０Ｕを、優先順位第１位の空調機群それぞれの圧縮機１２が起動したのちは、順位第２位の空調機群それぞれの圧縮機１２を起動するように、時期をずらして起動させるので、一時期に電力消費が集中することが防止される。
【０１１９】
（４−４）第３状況における集中制御部４０の動作
第３状況は、人が居る部屋又はフロアと人がいない部屋又はフロアとが混在する場合である。一部屋だけに人が居る場合、一部屋だけに人が居ない場合など、複雑な状況が想定される。
【０１２０】
ここで、説明の便宜上、空調機の総台数をＮ、人が居る部屋に属する空調機の合計をｎ、複数の空調機の圧縮機１２を一斉に起動させることができる一斉起動許容台数をαとする。
【０１２１】
図８、図９及び図１０は、第３状況における集中制御部４０の動作フローチャートである。以下、図８〜図１０を参照しながら、その動作を説明する。
【０１２２】
（４−４−１）ステップＳ３１〜ステップＳ３８，ステップＳ４０
（ステップＳ３１）
集中制御部４０は、ステップＳ３１において、人が居る部屋に属する空調機の合計ｎが一斉起動許容台数αよりも多いか否かを判定し、「ｎ＞αである」と判定したときはステップＳ３２へ進む。
【０１２３】
一方、集中制御部４０が「ｎ＞αではない」と判定したときはステップＳ４０へ進み、ステップＳ４０において、人が居る部屋の全ての空調機の圧縮機１２を一斉に起動させる。
【０１２４】
（ステップＳ３２）
集中制御部４０は、ステップＳ３２において、人が居る各部屋の優先順位が高い空調機から順に、合計台数がα台となるまで空調機を選択する。
【０１２５】
図１Ａにおいて、空調機の総台数Ｎは２１台であって、例えば、第１部屋Ｒ１、第３部屋Ｒ３及び第６部屋Ｒ６に人が居るとすれば、人が居る部屋に属する空調機の合計ｎは１１台である。
【０１２６】
そして、空調機の一斉起動許容台数αを７台とすると、第１部屋Ｒ１の優先順位第１位の空調機１０Ａ、第３部屋Ｒ３の優先順位第１位の空調機１０Ｉ、第６部屋Ｒ６の優先順位第１位の空調機１０Ｐ、第１部屋Ｒ１の優先順位第２位の空調機１０Ｂ、第３部屋Ｒ３の優先順位第２位の空調機１０Ｊ、第６部屋Ｒ６の優先順位第２位の空調機１０Ｑの計６台が選択される。
【０１２７】
残りの一台は、第１部屋Ｒ１、第３部屋Ｒ３及び第６部屋Ｒ６に属する空調機のうち優先順位第３位の空調機の中から選択される。但し、第３部屋Ｒ３には元々２台の空調機しか据え付けられていないので、実際には、第１部屋Ｒ１及び第６部屋Ｒ６に属する優先順位第３位の空調機の中から選択される。
【０１２８】
集中制御部４０は、予め全ての部屋に対して優先順位を設定して記憶部４０１に記憶しており、具体的には優先順位の高い方から［第３部屋Ｒ３、第４部屋Ｒ４及び第５部屋Ｒ５］、［第２部屋Ｒ２］、［第１部屋Ｒ１及びフロアＦＬ］及び［第６部屋Ｒ６］の順位に設定されている。
【０１２９】
したがって、残りの一台は、第１部屋Ｒ１の優先順位第３位の空調機１０Ｃが選択される。
【０１３０】
（ステップＳ３３）
集中制御部４０は、ステップＳ３３において、選択した第１部屋Ｒ１の優先順位第１位の空調機１０Ａ、第３部屋Ｒ３の優先順位第１位の空調機１０Ｉ、第６部屋Ｒ６の優先順位第１位の空調機１０Ｐ、第１部屋Ｒ１の優先順位第２位の空調機１０Ｂ、第３部屋Ｒ３の優先順位第２位の空調機１０Ｊ、第６部屋Ｒ６の優先順位第２位の空調機１０Ｑ、及び第１部屋Ｒ１の優先順位第３位の空調機１０Ｃの圧縮機１２を起動させる。
【０１３１】
（ステップＳ３４）
集中制御部４０は、ステップＳ３４において、空調機の一斉起動許容台数αが、［人が居る部屋に属する空調機の合計ｎ］から［圧縮機１２を起動させた空調機の台数α］を減じた値（ｎ−α）を超えているか否かを判定する。
【０１３２】
そして、集中制御部４０は、「α≧ｎ−αである」と判定したときはステップＳ３５へ進み、「α≧ｎ−αではない」と判定したときはステップＳ５１へ進む。
【０１３３】
実例による説明では、α＝７＞ｎ−α＝１１−７＝４であるので、ステップＳ３５に進むことになる。
【０１３４】
（ステップＳ３５）
集中制御部４０は、ステップＳ３５において、既に圧縮機１２を起動した空調機を除き、人が居る各部屋の優先順位の高い空調機から順に、合計台数がｎ−α台となるまで空調機を選択する。
【０１３５】
ここでは、残り４台の空調機として、第６部屋Ｒ６の未だ圧縮機１２を起動させていない空調機１０Ｒ、１０Ｓ、１０Ｔ及び１０Ｕを選択する。
【０１３６】
（ステップＳ３６）
集中制御部４０は、ステップＳ３６において、選択した空調機の圧縮機１２を起動する。ここでは、第６部屋Ｒ６の空調機１０Ｒ、１０Ｓ、１０Ｔ及び１０Ｕの圧縮機１２を起動する。この時点で、人が居る部屋の全ての空調機の圧縮機１２が起動したこととなる。
【０１３７】
（ステップＳ３７）
集中制御部４０は、ステップＳ３７において、［空調機の一斉起動許容台数α］が、［空調機の総台数Ｎ］から［人が居る部屋に属する空調機の合計ｎ］を減じた値（Ｎ−ｎ）を超えているか否かを判定する。
【０１３８】
そして、集中制御部４０は、「α≧Ｎ−ｎである」と判定したときはステップＳ３８へ進み、「α≧Ｎ−ｎではない」と判定したときはステップＳ４１へ進む。
【０１３９】
実例による説明では、α＝７＜Ｎ−ｎ＝２１−１１＝１０であるので、ステップＳ４１に進むことになるが、これについては、ステップＳ４１以降の欄で説明する。
【０１４０】
（ステップＳ３８）
集中制御部４０は、ステップＳ３８において、人が居ない各部屋の全ての空調機を対象に圧縮機１２を起動させる。
【０１４１】
なぜなら、圧縮機１２を起動させていない空調機の合計Ｎ−ｎが、一斉起動許容台数α以下であるので、対象となる全ての圧縮機１２を一挙に起動させることができるからである。
【０１４２】
（４−４−２）ステップＳ４１〜ステップＳ４７
ステップＳ３７からステップＳ４１に進む場合、ステップＳ４０からステップＳ４１に進む場合、及びステップＳ５８からステップＳ４１へ進む場合、いずれも人が居る部屋の全ての空調機の圧縮機１２を起動させた後の動作である。
【０１４３】
それゆえ、ステップＳ４１以降は、人が居ない部屋の空調機の圧縮機１２を起動させる動作である。
【０１４４】
（ステップＳ４１）
集中制御部４０は、ステップＳ４１において変数ｍを０に設定する。
【０１４５】
（ステップＳ４２）
集中制御部４０は、ステップＳ４２において、人が居ない各部屋の優先順位が高い空調機から順に、合計台数がα台となるまで空調機を選択する。
【０１４６】
例えば、ステップＳ３７からステップＳ４１に進んできた場合で説明すると、Ｎ−ｎ＝２１−１１＝１０であるので、人が居ない各部屋の全ての空調機１０台が停止状態である。
【０１４７】
具体的には、第２部屋Ｒ２、第４部屋Ｒ４、第５部屋Ｒ５及びフロアＦＬの全ての空調機が対象である。
【０１４８】
そして、空調機の一斉起動許容台数αは７台であるので、第２部屋Ｒ２の優先順位第１位の空調機１０Ｅ、第４部屋Ｒ４の優先順位第１位の空調機１０Ｎ、第５部屋Ｒ５の優先順位第１位の空調機１０Ｏ、フロアＦＬの優先順位第１位の空調機１０Ｄ、第２部屋Ｒ２の優先順位第２位の空調機１０Ｆ、フロアＦＬの優先順位第２位の空調機１０Ｋの計６台が選択される。
【０１４９】
残りの一台は、第２部屋Ｒ２又はフロアＦＬに属する空調機のうち優先順位第３位の空調機の中から選択される。
【０１５０】
集中制御部４０は、予め全ての部屋に対して優先順位を設定して記憶部４０１に記憶しており、具体的には［第３部屋Ｒ３、第４部屋Ｒ４及び第５部屋Ｒ５］、［第２部屋Ｒ２］、［第１部屋Ｒ１及びフロアＦＬ］及び［第６部屋Ｒ６］の順位に設定されている。
【０１５１】
したがって、残りの一台は、フロアＦＬよりも部屋の優先順位が高い第２部屋Ｒ２の優先順位第３位の空調機１０Ｇが選択される。
【０１５２】
（ステップＳ４３）
集中制御部４０は、ステップＳ４３において、選択した第２部屋Ｒ２の優先順位第１位の空調機１０Ｅ、第４部屋Ｒ４の優先順位第１位の空調機１０Ｎ、第５部屋Ｒ５の優先順位第１位の空調機１０Ｏ、フロアＦＬの優先順位第１位の空調機１０Ｄ、第２部屋Ｒ２の優先順位第２位の空調機１０Ｆ、フロアＦＬの優先順位第２位の空調機１０Ｋ、及び第２部屋Ｒ２の優先順位第３位の空調機１０Ｇの圧縮機１２を起動させる。
【０１５３】
（ステップＳ４４）
集中制御部４０は、ステップＳ４４において、変数ｍに１を加算する。
【０１５４】
（ステップＳ４５）
集中制御部４０は、ステップＳ４５において、［空調機の一斉起動許容台数α］が、［空調機の総台数Ｎから人が居る部屋に属する空調機の合計ｎ］及び［一斉起動許容台数αに変数ｍを乗じた数］を減じた値（Ｎ−ｎ−α×ｍ）を超えているか否かを判定する。
【０１５５】
ここで、［一斉起動許容台数αに変数ｍを乗じた数］は、人が居ない部屋の空調機のうちの既に圧縮機１２を起動させた空調機の台数に該当する。
【０１５６】
そして、集中制御部４０は、「α≧Ｎ−ｎ−α×ｍである」と判定したときはステップＳ４６へ進み、「α≧Ｎ−ｎ−α×ｍではない」と判定したときはステップＳ４２へ戻る。
【０１５７】
実例による説明では、α＝７≧Ｎ−ｎ−α×ｍ＝２１−１１−７×1＝３であるので、ステップＳ４６に進むことになる。
【０１５８】
（ステップＳ４６）
集中制御部４０は、ステップＳ４６において、既に圧縮機１２を起動した空調機を除き、人が居ない各部屋の優先順位の高い空調機から順に、合計台数がＮ−ｎ−α×ｍ（＝２１−１１−７×１＝３）台となるまで空調機を選択する。
【０１５９】
ここでは、フロアＦＬの優先順位第３位の空調機１０Ｌ、第２部屋Ｒ２の優先順位第４位の空調機１０Ｈ、及びフロアＦＬの優先順位第４位の空調機１０Ｍを選択する。
【０１６０】
（ステップＳ４７）
集中制御部４０は、ステップＳ４７において、選択したフロアＦＬの優先順位第３位の空調機１０Ｌ、第２部屋Ｒ２の優先順位第４位の空調機１０Ｈ、及びフロアＦＬの優先順位第４位の空調機１０Ｍの圧縮機１２を起動する。
【０１６１】
ここで、人が居ない部屋の全ての空調機の圧縮機１２が起動したこととなる。
【０１６２】
（４−４−３）ステップＳ５１〜ステップＳ５９
ステップＳ３４からステップＳ５１に進んでくる場合とは、人が居る部屋の全ての空調機の圧縮機１２を起動させるために、複数回のグループ起動が必要な場合である。
【０１６３】
それゆえ、ステップＳ５１以降は、人が居る部屋の空調機の圧縮機１２を対象とする２回目以降のグループ起動である。
【０１６４】
（ステップＳ５１）
集中制御部４０は、ステップＳ５１において変数ｓを１に設定する。
【０１６５】
（ステップＳ５２）
集中制御部４０は、ステップＳ５２において、既に圧縮機１２を起動させた空調機１０を除き、人が居る各部屋の優先順位が高い空調機から順に、合計台数がα台となるまで空調機を選択する。選択の方法は、ステップＳ３２及びステップＳ３５の要領で行う。
【０１６６】
（ステップＳ５３）
集中制御部４０は、ステップＳ５３において、選択したα台の空調機の圧縮機１２を起動させる。
【０１６７】
（ステップＳ５４）
集中制御部４０は、ステップＳ５４において、変数ｓに１を加算する。
【０１６８】
（ステップＳ５５）
集中制御部４０は、ステップＳ５５において、［空調機の一斉起動許容台数α］が、［人が居る部屋に属する空調機の合計ｎ］から［一斉起動許容台数αに変数ｓを乗じた数］を減じた値（ｎ−α×ｓ）を超えているか否かを判定する。
【０１６９】
ここで、［一斉起動許容台数αに変数ｓを乗じた数］は、人が居る部屋の空調機のうちの既に圧縮機１２を起動させた空調機の台数に相当する。
【０１７０】
そして、集中制御部４０は、「α≧ｎ−α×ｓである」と判定したときはステップＳ５６へ進み、「α≧ｎ−α×ｓではない」と判定したときはステップＳ５２へ戻る。
【０１７１】
（ステップＳ５６）
集中制御部４０は、ステップＳ５６において、既に圧縮機１２を起動した空調機を除き、人が居る各部屋の優先順位の高い空調機から順に、合計台数がｎ−α×ｓ台となるまで空調機を選択する。
【０１７２】
（ステップＳ５７）
集中制御部４０は、ステップＳ５７において、選択したｎ−α×ｓ台の圧縮機１２を起動する。ここで、人が居る部屋の全ての空調機の圧縮機１２が起動したこととなる。
【０１７３】
（ステップＳ５８）
集中制御部４０は、ステップＳ５８において、［空調機の一斉起動許容台数α］が、［空調機の総台数Ｎ］から［人が居る部屋に属する空調機の合計ｎ］を減じた値（Ｎ−ｎ）を超えているか否かを判定する。
【０１７４】
そして、集中制御部４０は、「α≧Ｎ−ｎである」と判定したときはステップＳ５９へ進み、「α≧Ｎ−ｎではない」と判定したときはステップＳ４１へ進む。
【０１７５】
（ステップＳ５９）
集中制御部４０は、ステップＳ５９において、人が居ない各部屋の全ての空調機を対象に圧縮機１２を起動させる。
【０１７６】
なぜなら、圧縮機１２を起動させていない空調機の合計Ｎ−ｎが、一斉起動許容台数α以下であるので、一挙に対象となる全ての圧縮機１２を起動させることができるか
（作用と効果）
上記のように、集中制御部４０は、人が居る部屋の空調機に対しては、予め記憶部４０１に記憶している［圧縮機１２を起動させる空調機の優先順位］に基いて空調機を選択する。
【０１７７】
そして、人が居る部屋の全ての空調機１０が起動した後、人が居ない部屋の空調機１０に対しても、予め記憶部４０１に記憶している［圧縮機１２を起動させる空調機の優先順位］に基いて空調機を選択する。
【０１７８】
このように、空調機の圧縮機は時期をずらして起動させるので、一時期に電力消費が集中することが防止される。
【０１７９】
さらに、部屋ごとに少なくとも１台の空調機の圧縮機１２が起動し運転を開始するので、空調開始時期が遅れることがなく、その空間の利用者に不快感を与えることも回避される。
【０１８０】
（５）特徴
（５−１）
集中制御部４０は、複数の圧縮機１２を、時期をずらして起動させるので、一時期に電力消費が集中することが防止される。
【０１８１】
（５−２）
さらに、集中制御部４０は、人検知センサ４８による検知結果に基づいて、人が検知されている部屋に属する空調機を優先して運転させるので、その部屋の利用者に不快感を与えることが回避される。
【０１８２】
（６）変形例
（６−１）第１変形例
上記実施形態では、人が居る部屋の空調機１０の圧縮機１２を、その部屋に属する空調機１０に対して予め設定されている優先順位に従って起動させている。
【０１８３】
しかし、それに限定されるものではなく、各室内ユニット２１に人検知センサ４８が設けられているのであるから、人を検知した室内ユニット２１に対応する圧縮機１２を優先して起動してもよい。
【０１８４】
部屋に複数の室内ユニット２１（空調機１０）が据え付けられている場合、人から遠い位置にある室内ユニット２１が運転を開始するよりも、その人を検知することができる位置にある室内ユニット２１が運転を開始する方が、その人の周囲空間を素早く快適にすることができる。
【０１８５】
（６−２）第２変形例
上記実施形態では、複数の空調機１０に対して同時期に運転開始指令があった場合の電力消費の集中を回避するため、圧縮機１２を起動させる空調機１０の優先順位を予め設定する方法が採られている。
【０１８６】
しかし、部屋に人が居るか否かは日、時間によっても異なることから、圧縮機１２を起動させる空調機１０の優先順位を固定するよりも、実際の部屋の使用状況に基いて、その都度、或いは一定時間ごとに当該優先順位を変えていく方が合理的な場合もある。
【０１８７】
第２変形例では、集中制御部４０は、複数の空調機１０に対して、同時期に運転開始指令があった場合に備えて、各空調機１０に対して圧縮機１２を起動させる時期を予め設定して、通信制御部５０へ定期的に送信しておくこともできる。
【０１８８】
それゆえ、何らかのトラブルで空調システムが停止し、各空調機１０に対して同時期に運転開始指令があった場合でも、各空調機１０は事前に起動の時期が伝えられているので、全ての圧縮機１２が一斉に起動するような事態が防止される。その結果、一時期に電力消費が集中することが防止される。
【０１８９】
（６−３）第３変形例
上記実施形態では、集中制御部４０は、人検知センサ４８の検知結果に基づき、人の居る部屋を特定しているが、例えば、各部屋の入退室カード情報から部屋に人が居るか否かを判定するように制御系・通信系を変更してもよい。もちろん、入退室カード情報と人検知センサ４８の検知結果との組合せで判定するように変更することも可能である。
【０１９０】
（７）その他
上記実施形態及び上記変形例では、集中制御部４０が空調機１０Ａ〜１０Ｕの各制御部４１とは別個に設けられている構成である。しかし、これに限定されるものではなく、空調機１０Ａ〜１０Ｕのいずれかを親機として、親機の制御部４１を集中制御部として設定しても良い。
【産業上の利用可能性】
【０１９１】
本発明に係る空調制御装置によれば、複数の空調機の圧縮機に対して一斉起動要求があった場合でも、起動させる優先順位の高い空調機群の圧縮機を先に起動させるので、全圧縮機の一斉起動を回避して電力消費の集中を防止することができる。
【０１９２】
それゆえ、利用分野は、利用側ユニットである室内ユニットと、熱源側ユニットとが一体化された空調機に限られず、室内ユニットと熱源側ユニットとが分離された空調機にも有用である。
【符号の説明】
【０１９３】
１２          圧縮機
２１          室内ユニット
４０          集中制御部（制御部）
４８          人検知センサ（人検知部）
５０          通信制御部
【先行技術文献】
【特許文献】
【０１９４】
【特許文献１】特開平１１−１５９８３７号公報
【図１Ａ】
2018096650.tif 000003
【図１Ｂ】
2018096650.tif 000004
【図２】
2018096650.tif 000005
【図３】
2018096650.tif 000006
【図４】
2018096650.tif 000007
【図５】
2018096650.tif 000008
【図６】
2018096650.tif 000009
【図７】
2018096650.tif 000010
【図８】
2018096650.tif 000011
【図９】
2018096650.tif 000012
【図１０】
2018096650.tif 000013